(57)【要約】【課題】複数のルーバの位置決めを正確に行うことができる空気調和装置の室内機を提供する。【解決手段】吹出口の幅方向に所定間隔を有して並べられ、風向を変更する複数のルーバ９と、幅方向に延在するとともに各ルーバ９が回動自在に取り付けられた連結部材１３と、連結部材１３に対して回動自在に取り付けられたリンク部材１７と、リンク部材１７を揺動させるモータと、モータを本体に対して固定するモータブラケット１５と、モータブラケット１５に設けられ、連結部材１５に当接するストッパ１６とを備えている。【選択図】図３
2018189310.tif 000002
【特許請求の範囲】
【請求項１】
一方向に所定間隔を有して並べられ、風向を変更する複数のルーバと、
前記一方向に延在するとともに各前記ルーバが回動自在に取り付けられた連結部材と、
前記連結部材に対して回動自在に取り付けられたリンク部材と、
該リンク部材を揺動させるモータと、
該モータを本体に対して固定するモータブラケットと、
該モータブラケットに設けられ、前記連結部材に当接するストッパと、
を備えていることを特徴とする空気調和装置の室内機。
【請求項２】
前記ストッパは、前記連結部材に対して正対する位置で当接することを特徴とする請求項１に記載の空気調和装置の室内機。
【請求項３】
前記モータを制御する制御部を備え、
前記制御部は、前記ストッパに前記連結部材が当接した位置を基準位置として設定することを特徴とする請求項１又は２に記載の空気調和装置の室内機。
【発明の詳細な説明】
【技術分野】
【０００１】
本発明は、風向を変更するルーバを備えた空気調和装置の室内機に関するものである。
【背景技術】
【０００２】
空気調和装置の室内機には、空調後の空気の向きを変更するためのルーバが設けられている。ルーバは、室内機の吹出口に横方向に所定間隔を有して複数並べられている（例えば特許文献１）。
【先行技術文献】
【特許文献】
【０００３】
【特許文献１】特開平１１−１１８１８６号公報
【発明の概要】
【発明が解決しようとする課題】
【０００４】
複数のルーバを同期して回動させるために、各ルーバが回動自在に取り付けられた連結部材を用いる。連結部材は、棒状とされており、一端にリンク部材が取り付けられている。リンク部材をモータによって揺動させることで、連結部材を長手方向に往復動させて各ルーバを回動させて風向制御する。
【０００５】
しかし、連結部材は、各ルーバを連結するため長尺となり寸法管理が難しい。また、連結部材の基準位置が正確に決められていないと、各ルーバを整列して正面を向かせることができず、見栄えが悪くなるという問題がある。
【０００６】
本発明は、このような事情に鑑みてなされたものであって、複数のルーバの位置決めを正確に行うことができる空気調和装置の室内機を提供することを目的とする。
【課題を解決するための手段】
【０００７】
上記課題を解決するために、本発明の空気調和装置の室内機は以下の手段を採用する。
すなわち、本発明にかかる空気調和装置の室内機は、一方向に所定間隔を有して並べられ、風向を変更する複数のルーバと、前記一方向に延在するとともに各前記ルーバが回動自在に取り付けられた連結部材と、前記連結部材に対して回動自在に取り付けられたリンク部材と、該リンク部材を揺動させるモータと、該モータを本体に対して固定するモータブラケットと、該モータブラケットに設けられ、前記連結部材に当接するストッパとを備えていることを特徴とする。
【０００８】
モータによってリンク部材が揺動されると、リンク部材が取り付けられた連結部材が移動する。連結部材が移動すると、連結部材に取り付けられた各ルーバが回動し、風向が変更される。
モータを本体に固定するモータブラケットには、連結部材に当接するストッパが設けられている。連結部材はストッパに当接すると移動が規制され、各ルーバの位置決めが行われる。このように、モータを取り付けたモータブラケットに設けたストッパによって位置が決定されるので、ケーシング等の他の部材のようにモータを取り付けたモータブラケットとは異なる部材にストッパを設けた場合に比べて正確に各ルーバの位置決めを行うことができる。
【０００９】
さらに、本発明の空気調和装置の室内機では、前記ストッパは、前記連結部材に対して正対する位置で当接することを特徴とする。
【００１０】
連結部材に対して正対する位置でストッパが当接するので、連結部材とストッパが当接した後に連結部材がずれることを抑制できる。これにより、より正確なルーバの位置決めを行うことができる。
【００１１】
さらに、本発明の空気調和装置の室内機では、前記モータを制御する制御部を備え、前記制御部は、前記ストッパに前記連結部材が当接した位置を基準位置として設定することを特徴とする。
【００１２】
ストッパが連結部材に当接した位置を、基準位置として制御部が設定することによって、各ルーバの基準位置が正確に決定される。これにより、各ルーバの回動角度を所望位置に制御することができる。
【発明の効果】
【００１３】
モータを取り付けたモータブラケットに設けたストッパによって位置が決定されるので、複数のルーバの位置決めを正確に行うことができる。
【図面の簡単な説明】
【００１４】
【図１】本発明の一実施形態に係る空気調和装置の室内機を示した斜視図である。
【図２】図１の室内機の内部を示した斜視図である。
【図３】連結部材とストッパが離れた状態を示し、（ａ）は平面図、（ｂ）は（ａ）の部分拡大平面図である。
【図４】連結部材とストッパが当接した状態を示し、（ａ）は平面図、（ｂ）は（ａ）の部分拡大平面図である。
【発明を実施するための形態】
【００１５】
以下に、本発明にかかる一実施形態について、図面を参照して説明する。
図１には、空気調和装置の室内機１の外観が示されている。室内機１は、壁掛形とされており、上方から室内空気を吸い込み、下方の吹出口から室内へと空調後の空気を吹き出す。室内機１は、図示しない室外機と接続されており、室外機にて圧縮された冷媒の供給を受け、室内機１の内部に設けられた室内熱交換器によって室内の空気を所定温度に調整する。
【００１６】
図２には、室内機１の内部が示されている。同図に示されているように、室内の壁面に固定されるベースプレート３に対して、室内熱交換器５が取り付けられている。室内熱交換器５の下方には、室内機１の幅方向に設けられた吹出口７が形成されている。吹出口７には、幅方向（一方向）に所定間隔を有して複数のルーバ９が設けられている。各ルーバ９は、樹脂製とされた板状体とされている。各ルーバ９は、室内機１の本体側に設けられた軸受部１１に対して回動自在に取り付けられている。各ルーバ９には、取付ピン９ａ（図３（ａ））参照が設けられており、この取付ピン９ａが連結部材１３に対して回動自在に取り付けられている。
【００１７】
連結部材１３は、樹脂製とされ、室内機１の幅方向に延在する棒状とされている。連結部材の一端である左端は、モータブラケット１５側に位置するように配置されている。
【００１８】
モータブラケット１５は、室内機１の本体に固定されており、ルーバ９を駆動するためのモータを収容する。
【００１９】
図３には、連結部材１３とモータブラケット１５の周囲の拡大図が示されている。連結部材１３の左端には、リンク部材１７の一端が回動自在に取り付けられている。リンク部材１７の他端は、モータ軸１９に取り付けられている。したがって、モータによってモータ軸１９が回動すると、リンク部材１７が揺動し、これによって連結部材１３が略長手方向に往復動する。この連結部材１３の往復動によって、各ルーバ９の回動角度が変更される。モータ軸１９の回動角度は、図示しない制御部へと送られる。
【００２０】
モータブラケット１５には、ストッパ１６が固定されている。ストッパ１６は、図４に示すように、連結部材１３の先端１３ａに当接することによって、連結部材１３の移動を規制する。
図３（ｂ）及び図４（ｂ）から分かるように、連結部材１３の先端１３ａの当接面１３ｂとストッパ１６の当接面１６ａとは面接触するようになっている。すなわち、ストッパ１６の当接面１６ａは、連結部材１３の当接面１３ｂに対して正対するように設定されている。
【００２１】
制御部は、ストッパ１６に連結部材１３の先端１３ａが当接した位置を基準位置として設定する。そして、この基準位置に基づいて、モータ軸１９の回動角度を制御し、各ルーバ９の位置制御を行う。
制御部は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００２２】
各ルーバ９の基準位置の位置決めは、以下のように行う。
先ず、制御部の指令によってモータを駆動しモータ軸１９の回動によってリンク部材１７を揺動させる。リンク部材１７の揺動によって連結部材１３の先端１３ａがストッパ１６側に移動し、連結部材１３の当接面１３ｂがストッパ１６の当接面１６ａに面接触する。これにより、連結部材１３の移動が規制され、この位置を制御部は基準位置として設定する。この基準位置を基準として、制御部はモータ軸１９を回動し、ルーバ９の風向角度を制御する。
【００２３】
上述の室内機１によれば、以下の作用効果を奏する。
モータを室内機１の本体に固定するモータブラケット１５には、連結部材１３に当接するストッパ１６が設けられている。連結部材１３はストッパ１６に当接すると移動が規制され、各ルーバ９の位置決めが行われる。このように、モータを取り付けたモータブラケット１５に設けたストッパ１６によって位置が決定されるので、ケーシング等の他の部材のようにモータを取り付けたモータブラケット１５とは異なる部材にストッパ１６を設けた場合に比べて正確に各ルーバ９の位置決めを行うことができる。
【００２４】
連結部材１３に対して正対する位置でストッパ１６が当接して面接触するので、大きな摩擦力が働くことで、連結部材１３とストッパ１６が当接した後に連結部材１３がずれることを抑制できる。これにより、より正確なルーバ９の位置決めを行うことができる。
【００２５】
ストッパ１６が連結部材１３に当接した位置を、基準位置として制御部が設定することによって、各ルーバ９の基準位置が正確に決定される。これにより、各ルーバ９の回動角度を所望位置に制御することができる。
【符号の説明】
【００２６】
１  室内機
３  ベースプレート
５  室内熱交換器
７  吹出口
９  ルーバ
１１  軸受部
１３  連結部材
１３ａ  先端
１３ｂ  当接面
１５  モータブラケット
１６  ストッパ
１６ａ  当接面
１７  リンク部材
１９  モータ軸
【図１】
2018189310.tif 000003
【図２】
2018189310.tif 000004
【図３】
2018189310.tif 000005
【図４】
2018189310.tif 000006